(57)【特許請求の範囲】
【請求項１】
配信元から受信した動画データを、映像データと音声データとに分離して蓄積するバッファと、
前記映像データのバッファ量が所定値に達してから開始する通常再生の前に、蓄積中の映像データを用いて、静止画出力または前記通常再生時の再生速度よりも低速で映像データの出力を行うとともに、前記映像データの再生とは非同期に所定値以上の再生速度で前記音声データを出力する制御部と、を備える動画出力装置であって、
さらに、予め定めた音声レベル以下であるか否かにより音声データの無音区間を検出する音声レベル検出部を備え、前記無音区間を所定の割合で延長する処理を実行する動画出力装置。
【請求項２】
前記通常再生の前に、蓄積中の映像データを用いて映像データの低速再生出力を行う際に、前記映像データの再生速度よりも高速で音声データを出力する請求項１の動画出力装置。
【請求項３】
時間の経過とともに、前記音声の再生速度を増大させていく請求項１または２の動画出力装置。
【請求項４】
前記無音区間を所定の割合で延長する処理として、
前記通常再生の前に映像データと音声データとをそれぞれ出力する場合において、前記バッファから取り出した映像データに付加されたタイムスタンプと前記バッファから取り出した音声データに付加されたタイムスタンプとを比較し、前記音声データのタイムスタンプの方が進んでいる場合に、前記音声レベル検出部により検出した無音区間を所定の割合で延長する処理を実行する請求項１から３いずれか一の動画出力装置。
【請求項５】
配信元から受信した動画ストリームを、映像データと音声データとに分離する動画ストリーム分離部と、
前記分離した映像データを蓄積する映像データバッファ部と、
前記分離した音声データを蓄積する音声データバッファ部と、
前記制御部からの指示に従って、前記映像データバッファ部から映像データ取り出して復号する映像復号部と、
前記制御部からの指示に従って、前記音声データバッファ部から音声データを取り出して復号する音声復号部と、を備える請求項１から４いずれか一の動画出力装置。
【請求項６】
配信元から受信した動画データを、映像データと音声データとに分離して蓄積するステップと、
前記映像データのバッファ量が所定値に達してから開始する通常再生の前に、蓄積中の映像データを用いて、静止画出力または前記通常再生時の再生速度よりも低速で映像データの出力を行うとともに、前記映像データの再生とは非同期に所定値以上の再生速度で前記音声データを出力するステップと、を含む動画出力方法であって、
さらに、予め定めた音声レベル以下であるか否かにより音声データの無音区間を検出するステップと、
前記無音区間を所定の割合で延長するステップとを含む動画出力方法。
【請求項７】
配信元から受信した動画データを、映像データと音声データとに分離して蓄積する処理と、
前記映像データのバッファ量が所定値に達してから開始する通常出力の前に、蓄積中の映像データを用いて、静止画出力または前記通常再生時の再生速度よりも低速で映像データの出力を行うとともに、前記映像データの再生とは非同期に所定値以上の再生速度で前記音声データを出力する処理と、をコンピュータに実行させるプログラムであって、
さらに、予め定めた音声レベル以下であるか否かにより音声データの無音区間を検出する処理と、
前記無音区間を所定の割合で延長する処理とを前記コンピュータに実行させるプログラム。
【発明の詳細な説明】
【技術分野】
【０００１】
本発明は、動画出力装置、動画出力方法およびプログラムに関し、特に、動画データのバッファを行ってから出力を行う動画出力装置、動画出力方法およびプログラムに関する。
【背景技術】
【０００２】
特許文献１、２に記載のとおり、デジタル放送などに利用されている映像圧縮方式では、表示する映像や音声の内容によりそれぞれ符号化情報量が増減するため、符号化情報量の平滑化と、映像と音声間での同期を行うためにデータのバッファを行っている。チャンネル切り替え時に前記バッファを行うため実際に画像が表示されるまでに待ち時間が生じるため、特許文献１、２の受信装置、デジタルテレビ放送受信機では、上記待ち時間を短縮化する技術が記載されている。
【０００３】
特許文献１では、電波によるデジタルＴＶ放送のチャンネル変更時に、チューナが受信出力した映像音声の表示時刻を待たずに、最初にデコード完了した映像信号を出力することで、チャンネル変更時の映像切り替え出力時間を短縮させている。
【０００４】
特許文献２では、デジタルＴＶ放送のチャンネル変更時に、通常再生される速度より低再生速度で再生を開始し、チャンネル切り替え処理が安定した後に通常再生速度にすることで、チャンネル変更時の映像切り替え出力時間を短縮させている。
【０００５】
近年、インターネットを利用した動画ストリーム配信サービスが増加し、中でも、ＮＧＮ（Ｎｅｘｔ  Ｇｅｎｅｒａｔｉｏｎ  Ｎｅｔｗｏｒｋ）を利用し、地上波デジタル放送のＩＰ再送信等を行うＩＰＴＶ（Ｉｎｔｅｒｎｅｔ  Ｐｒｏｔｏｃｏｌ  ＴｅｌｅＶｉｓｉｏｎ）放送やＶＯＤ(Ｖｉｄｅｏ  Ｏｎ  Ｄｅｍａｎｄ)放送など多チャンネルの動画ストリーム配信が増加している。こうした動画ストリーム配信サービスの受信装置側でも、伝送路の品質（データの遅延・揺らぎ・欠落と再送など）を考慮して、動画データをバッファすることが行われている。
【０００６】
図８は、動画ストリーム受信装置における映像データと音声データのバッファ量の変化とデータの出力タイミングを表した図である。同図に示すとおり、ユーザからのチャンネル視聴要求の発生から映像データおよび音声データのバッファを開始し、バッファ量がそれぞれ所定値（ｔｈｖ０、ｔｈａ０）を超えたタイミングで、映像と音声の同期再生を開始している。
【０００７】
特許文献３には、通信ネットワークから受信した動画ストリームをバッファに蓄積し、ある決められた読み出し間隔でバッファから読み出し再生出力を行い、バッファ量が下限閾値を下回ると視聴者が気づかない程度に読み出し間隔を拡げ、バッファ量が上限閾値を上回ると読み出し間隔を狭めることにより再生バッファのアンダーフローもしくはオーバーフローによる再生品質の劣化を抑止するストリームデータ受信再生装置が開示されている。
【先行技術文献】
【特許文献】
【０００８】
【特許文献１】特開２００５−１２３１０号公報
【特許文献２】特開２００１−２９２３８１号公報
【特許文献３】特開２００８−２１１３３１号公報
【発明の概要】
【発明が解決しようとする課題】
【０００９】
特許文献１のデジタルテレビ受信機は、チャンネル切り換え時に映像信号の静止画のみ表示し、ある程度バッファにデータが蓄積された後、映像音声を通常再生するものである。前記データの蓄積中に出力されるのは、音声のない静止画像のみであるという問題点がある。また、特許文献２の受信装置は、入力信号が安定するまでの期間、通常再生速度より遅い速度で映像を再生し、音声は特許文献１と同様にミュート（無音状態）するとしている。
【００１０】
このように、映像だけを先に出力する方式では、視聴者から、故障を疑われてしまう可能性がある。また、特許文献２の段落００４７には「音声信号をも映像信号同様に、低い復号処理速度で復号するようにしてもよい」と記載されているが、映像信号同様に低い復号処理速度で復号した場合、出力音声が間延びし、内容も聞き取りにくくなってしまうという問題点がある。
【００１１】
電波ではなくＩＰ網等を用いる動画ストリーム配信サービスにおいても、特許文献３に記載されているように、伝送路の品質（データの遅延・揺らぎ・欠落と再送など）を考慮して一定量のバッファリングが必要であるため、画像が表示されるまでに時間が掛かってしまうという事情に変わりはない。
【００１２】
本発明は、上記した事情に鑑みてなされたものであって、その目的とするところは、上記動画データのバッファを行ってから出力を行う装置に対し視聴要求を行ない、再生開始を待つユーザに、画像とともに違和感のない音声を視聴させることのできる構成を提供することにある。
【課題を解決するための手段】
【００１３】
本発明の第１の視点によれば、配信元から受信した動画データを、映像データと音声データとに分離して蓄積するバッファと、前記映像データのバッファ量が所定値に達してから開始する通常再生の前に、蓄積中の映像データを用いて、静止画出力または前記通常再生時の再生速度よりも低速で映像データの出力を行うとともに、前記映像データの再生とは非同期に所定値以上の再生速度で前記音声データを出力する制御部と、を備える動画出力装置であって、さらに、予め定めた音声レベル以下であるか否かにより音声データの無音区間を検出する音声レベル検出部を備え、前記無音区間を所定の割合で延長する処理を実行する動画出力装置が提供される。
【００１４】
本発明の第２の視点によれば、配信元から受信した動画データを、映像データと音声データとに分離して蓄積するステップと、前記映像データのバッファ量が所定値に達してから開始する通常再生の前に、蓄積中の映像データを用いて、静止画出力または前記通常再生時の再生速度よりも低速で映像データの出力を行うとともに、前記映像データの再生とは非同期に所定値以上の再生速度で前記音声データを出力するステップと、を含む動画出力方法であって、さらに、予め定めた音声レベル以下であるか否かにより音声データの無音区間を検出するステップと、前記無音区間を所定の割合で延長するステップとを含む動画出力方法が提供される。本方法は、配信元から受信した動画データを出力する動画出力装置という、特定の機械に結びつけられている。
【００１５】
本発明の第３の視点によれば、配信元から受信した動画データを、映像データと音声データとに分離して蓄積する処理と、前記映像データのバッファ量が所定値に達してから開始する通常再生の前に、蓄積中の映像データを用いて、静止画出力または前記通常再生時の再生速度よりも低速で映像データの出力を行うとともに、前記映像データの再生とは非同期に所定値以上の再生速度で前記音声データを出力する処理と、をコンピュータに実行させるプログラムであって、さらに、予め定めた音声レベル以下であるか否かにより音声データの無音区間を検出する処理と、前記無音区間を所定の割合で延長する処理とを前記コンピュータに実行させるプログラムが提供される。なお、このプログラムは、コンピュータが読み取り可能な記憶媒体に記録することができる。即ち、本発明は、コンピュータプログラム製品として具現することも可能である。
【発明の効果】
【００１６】
本発明によれば、動画データのバッファを行ってから出力を行う装置に対し視聴要求を行ない、出力開始を待つユーザに、画像に加えて違和感のない音声を提供することが可能になる。
【図面の簡単な説明】
【００１７】
【図１】本発明の概要を説明するための図である。
【図２】本発明の第１の実施形態の構成を表したブロック図である。
【図３】本発明の第１の実施形態の動作を表したフローチャートである。
【図４】本発明の第１の実施形態における映像データと音声データのバッファ量の遷移とデータの出力タイミングを表した図である。
【図５】本発明の第２の実施形態の構成を表したブロック図である。
【図６】本発明の第２の実施形態の動作を表したフローチャートである。
【図７】本発明の第２の実施形態における映像データと音声データのバッファ量の遷移とデータの出力タイミングを表した図である。
【図８】背景技術として挙げた動画ストリーム受信装置における映像データと音声データのバッファ量の遷移とデータの出力タイミングを表した図である。
【発明を実施するための形態】
【００１８】
図１は、発明の概要を表した図である。本発明に係る動画出力装置３ａは、配信元から受信した動画データを、映像データと音声データとに分離して蓄積するバッファ１０２／１０５と、前記映像データのバッファ量が所定値に達してから開始する通常再生の前に、蓄積中の映像データを用いて、静止画出力または前記通常再生時の再生速度よりも低速で映像データの出力を行うとともに、前記映像データの再生とは非同期に所定値以上の再生速度で前記音声データを出力する制御部１０９と、を備える。
【００１９】
具体的には、図１の操作入力部１１１に対して視聴開始を要求する操作が行われると、動画データ受信部１００ａは動画データの受信を開始し、映像データバッファ部１０２と音声データバッファ部１０５に映像データと音声データとを一時蓄積していく。
【００２０】
制御部１０９は、各バッファ部１０２／１０５のバッファ量の監視を行い、映像バッファ量が通常再生のための規定量ｔｈｖ０になる前に、映像復号部１０３に対して、映像バッファ部１０２から映像データを取り出して、静止画出力または低速出力を行うように指示する。
【００２１】
また制御部１０９は、前記映像データの出力と同時に、音声復号部１０６に対して、音声バッファ部１０５から音声データを取り出して、所定の再生速度で出力を行うように指示する。
【００２２】
前記音声復号部１０６からの音声出力速度は、映像の出力とは非同期に、かつ、通常再生時の再生速度より遅いが視聴者に違和感を与えない程度の速度（１倍速以下の所定値）とする。その後、出力する映像データと音声データの時刻情報が一致した時点で、映像データと同じ速度で音声データの同期再生を行う通常再生に移行する。
【００２３】
このように、本発明によれば、視聴要求操作を行ったユーザに、短時間かつ違和感を与えない態様で、音声付きの画像を提供することが可能になる。
【００２４】
［第１の実施形態］
続いて、本発明の第１の実施形態について図面を参照して詳細に説明する。図２は、本発明の第１の実施形態の構成を表したブロック図である。図２を参照すると、動画ストリームを配信する動画ストリーム配信装置１と、ネットワーク２と、ネットワーク２を介して動画ストリームを受信する動画ストリーム受信装置３と、が示されている。
【００２５】
動画ストリーム配信装置１は、マルチキャスト通信により動画ストリームを動画ストリーム受信装置３へ配信する装置であり、例えば、ＩＰＴＶ（Ｉｎｔｅｒｎｅｔ  Ｐｒｏｔｏｃｏｌ  ＴｅｌｅＶｉｓｉｏｎ）の再配信を行うＩＰ放送サーバなどが該当する。
【００２６】
動画ストリーム受信装置３は、動画ストリーム受信部１００と、動画ストリーム分離部１０１と、映像データバッファ部１０２と、映像復号部１０３と、映像出力部１０４と、音声データバッファ部１０５と、音声復号部１０６と、音声出力部１０７と、制御部１０９と、動画ストリーム要求部１１０と、操作入力部１１１とを備えている。
【００２７】
動画ストリーム受信部１００は、動画ストリーム配信装置１からネットワーク２経由で、動画ストリームを受信し、動画ストリーム分離部１０１に出力する。
【００２８】
動画ストリーム分離部１０１は、多重化された動画ストリームを映像データと音声データとその他のデータに分離して、それぞれ、映像データバッファ部１０２および、音声データバッファ部１０５に出力する。
【００２９】
映像データバッファ部１０２は、映像データを蓄積し、映像復号部１０３に提供する。
【００３０】
映像復号部１０３は、制御部１０９から指定された再生速度で再生が行われるよう、符号化された映像データの復号処理を行って、映像出力部１０４に出力する。
【００３１】
映像出力部１０４は、復号された映像データを出力する機能を有する。
【００３２】
音声データバッファ部１０５は、音声データを蓄積し、音声復号部１０６に提供する。
【００３３】
音声復号部１０６は、制御部１０９から指定された再生速度で再生が行われるよう、符号化された音声データの復号処理を行って、音声出力部１０７に出力する。
【００３４】
音声出力部１０７は、復号された音声データを出力する機能を有する。
【００３５】
制御部１０９は、操作入力部１１１にて受け付けたユーザの指示に従い動画ストリーム要求部１１０に対してストリームの視聴開始要求指示を行う。制御部１０９は、映像データバッファ部１０２の映像データ蓄積量を監視し、その結果に基づいて映像復号部１０３に対して、映像データの再生速度の指示を行う機能を有する。
【００３６】
また制御部１０９は、音声データバッファ部１０５のデータ蓄積量を監視し、その結果および前記映像復号部１０３への映像データの再生指示に基づき、音声復号部１０６に対して、音声データの再生速度の指示を行う機能を有する。
【００３７】
動画ストリーム要求部１１０は、制御部１０９からの指示に基づいて、動画ストリーム配信装置１に対して動画ストリーム配信要求を行う機能を有する。
【００３８】
操作入力部１１１は、リモートコントローラーや動画ストリーム受信装置３本体の操作ボタンによりユーザから視聴要求を受け付けて制御部１０９に通知する機能を有する。
【００３９】
続いて、本実施形態の動作について詳細に説明する。操作入力部１１１に対して映像視聴開始操作が与えられると、制御部１０９が、動画ストリーム要求部１１０に対し指定された動画ストリームの視聴開始を指示する。
【００４０】
前記指示を受けた動画ストリーム要求部１１０は、ネットワーク２を経由して、動画ストリーム配信装置１に対して、指示されたコンテンツの配信を要求する。
【００４１】
図３は、動画ストリーム受信装置３の動画ストリーム要求部１１０がコンテンツの配信を要求した後の動作を表したフローチャートである。
【００４２】
図３を参照すると、動画ストリーム受信装置３の動画ストリーム受信部１００は、動画ストリーム配信装置１から配信された動画ストリームを受信し、動画ストリーム分離部１０１に入力する（ステップＳ１００）。
【００４３】
動画ストリーム分離部１０１は、入力された動画ストリームを、映像・音声とそれ以外のデータに分離し、映像データバッファ部１０２、音声データバッファ部１０５にそれぞれ蓄積する（ステップＳ１０１）。
【００４４】
また前記分離の際に、動画ストリーム分離部１０１は、分離した映像データのヘッダ情報を解析し、映像再生時刻情報（タイムスタンプ）と、映像符号化情報を抽出する（ステップＳ１０２）。動画ストリーム分離部１０１は、音声データについても同様に、分離した音声データのヘッダ情報を解析し、音声再生時刻情報（タイムスタンプ）を抽出する（ステップＳ１０７）。
【００４５】
制御部１０９は、映像データバッファ部１０２に蓄積された映像データ中の映像符号化情報の監視を行って、映像データの低速再生開始可能あるいは開始中であるか否かを判定する（ステップＳ１０４）。例えば、映像データバッファ部１０２に画面内符号化処理された映像データ（Ｉフレーム；Ｉｎｔｒａ−ｃｏｄｅｄ  Ｆｒａｍｅ）が存在する場合、低速再生可と判断し、通常再生を行う前の低速再生中の再生速度Ｓｖ（Ｓｖ＞０）を算出する（ステップＳ１０５）。画面内符号化処理された映像データ（Ｉフレーム；Ｉｎｔｒａ−ｃｏｄｅｄ  Ｆｒａｍｅ）が存在しなくとも、再生速度Ｓｖが０以上である場合は、すでに低速再生が始まっているので、再生速度Ｓｖの算出処理を継続する（ステップＳ１０５）。
【００４６】
前記ステップＳ１０５において算出される再生速度Ｓｖは、通常再生時の速度Ｓｎより遅いものであればよく、映像データバッファ部１０２に蓄積された映像データの量や蓄積速度などに応じて決定すればよい。もちろん、通常再生より前の期間の再生速度Ｓｖは、予め定めた固定値であってもよい。
【００４７】
また、映像データバッファ部１０２に通常再生に十分な映像データが蓄積されている場合、ステップＳ１０５において算出される再生速度Ｓｖは、通常再生時の速度Ｓｎに設定される。これにより、通常再生が実現される。
【００４８】
映像復号部１０３は、映像データを復号し、設定された再生速度Ｓｖに従って映像出力部１０４に復号化した映像データを出力する（ステップＳ１０６）。
【００４９】
一方ステップＳ１０４において、映像データバッファ部１０２に画面内符号化処理された映像データが存在しない、かつ、再生速度Ｓｖが０の場合は、ステップＳ１００に戻り後続する動画ストリームの受信処理を継続する（ステップＳ１０４のＮｏ）。
【００５０】
前記映像データの出力が開始されると、制御部１０９は、前記映像データとともに出力する音声データの再生速度Ｓａ（Ｓｖ≦Ｓａ≦Ｓｎ）を算出する（ステップＳ１１０）。ここで再生速度Ｓａは、前記ステップＳ１０５で算出した再生速度Ｓｖ以上かつ通常再生速度Ｓｎ以下の値であり、Ｓｖ≦Ｓａ≦Ｓｎを満たすものとする。なお、ステップＳ１０９において、映像の再生が開始されていない場合には、ステップS１００に戻り、後続する動画ストリームの受信処理を継続する（ステップＳ１０９のＮｏ）。
【００５１】
前記ステップＳ１１０において算出される再生速度Ｓａは、通常再生時の速度Ｓｎより遅いが、視聴者に違和感を与えない程度の速度であればよく、音声データバッファ部１０５に蓄積された音声データの量や蓄積速度などに応じて決定すればよい。もちろん、通常再生より前の期間の再生速度Ｓａは、予め定めた固定値であってもよい。またあるいは、時間の経過とともに、音声再生速度Ｓａを増大させていくようにしてもよい。
【００５２】
音声復号部１０６は、音声データを復号し、設定された再生速度Ｓａに従って音声出力部１０７に復号化した音声データを出力する（ステップＳ１１１）。
【００５３】
また、上記ステップＳ１０５にて算出された映像データ再生速度Ｓｖが通常再生速度Ｓｎに設定された後、映像再生時刻情報Ｔｖと音声再生時刻情報Ｔａが一致した段階で、音声データ再生速度Ｓａは通常再生速度Ｓｎに設定される。これにより、以降、映像と音声を同期した通常再生が行われる。
【００５４】
図４は、上記した動画ストリーム受信装置３における映像データと音声データのバッファ量の遷移とデータの出力タイミングを表した図である。図４の映像出力開始および音声出力開始のタイミングで映像データと音声データの低速再生がそれぞれ開始される。その後、図４の映像通常再生開始のタイミングで映像再生速度がＳｎに設定されると、映像音声同期再生開始のタイミングで、映像と音声とが同期した状態に遷移する。
【００５５】
図４と図８とを比較しても明らかな通り、本実施形態では、図８の映像音声の出力タイミングよりも早く映像および音声を違和感なく出力することが可能である。
【００５６】
以上のように、本実施形態によれば、動画ストリームの視聴開始操作、あるいは、チャンネル変更操作（チャンネルザッピングを含む。）が行われた場合に、映像データおよび音声データとを早出し再生することが可能となる。これにより、ユーザは、動画ストリームの内容を素早く把握することが可能になり、気に入らない番組であれば、バッファの蓄積（映像音声同期再生の開始）を待つことなく、別のチャンネルに切り替える操作を行うことができる。
【００５７】
［第２の実施形態］
続いて、上記した第１の実施形態に変更を加えた第２の実施形態について図面を参照して詳細に説明する。図５は、本発明の第２の実施形態の構成を表したブロック図である。本実施形態と、第１の実施形態との相違点は、動画ストリーム受信装置３内に音声レベル検出部１０８が追加されており、音声レベル検出部１０８により検出された無音区間の延長処理を行う点である。以下、その相違点を中心に、本実施形態の構成および動作について説明する。
【００５８】
図５の音声レベル検出部１０８は、音声復号部１０６で復号化された音声出力レベルを監視し、その結果を制御部１０９に通知する機能を有する。
【００５９】
図６は、本発明の第２の実施形態の動画ストリーム受信装置３の動画ストリーム要求部１１０がコンテンツの配信を要求した後の動作を表したフローチャートである。図６のステップＳ１００からステップＳ１１０までの各処理は、図３と同様であるので説明を省略する。
【００６０】
ステップＳ１１０の音声再生速度Ｓａの算出の後に、制御部１０９は、映像データバッファ部１０２および音声データバッファ部１０５に蓄積された映像データおよび音声データを取り出し、それぞれに設定された映像再生時刻情報（タイムスタンプ）と音声再生時刻情報（タイムスタンプ）とを比較する（ステップＳ１１２）。
【００６１】
前記比較の結果、映像再生時刻情報の方が進んでいる場合、第１の実施形態と同様に、音声復号部１０６により、ステップＳ１１０で算出した音声再生速度Ｓａで音声データ復号処理が行われる（ステップＳ１１１）。
【００６２】
一方、前記比較の結果、音声再生時刻情報が進んでいる場合には、制御部１０９は、音声復号部１０６に、音声データ復号処理を行わせるとともに、復号処理を行った音声データ内に無音状態があった場合に、その時間を所定の割合で延長させる無音区間延長処理を実行させる。これにより、音声再生時刻情報の進み幅を遅らせ、映像データバッファ部１０２のバッファ量が規定量ｔｈｖ０に達した後の映像音声同期再生開始までの時間を短縮することが可能になる。なお、前記無音区間は、音声レベル検出部１０８から入力された音声レベルが、あらかじめ設定されたレベル以下であるか否かにより判定することができる。
【００６３】
図７は、上記した動画ストリーム受信装置３における映像データと音声データのバッファ量の遷移とデータの出力タイミングを表した図である。図７の映像出力開始および音声出力開始のタイミングで映像データと音声データの低速再生がそれぞれ開始される。その間、音声の方は、上記した音声レベルによる無音区間の延長処理が適宜行われる。そして、図７の映像通常再生開始のタイミングで映像再生速度がＳｎに設定されると、映像再生時刻情報と、音声再生時刻情報とが一致した段階で、映像と音声とが同期した状態に遷移する（映像音声同期再生開始）。
【００６４】
なお、上記無音区間の延長処理に代えて、無音区間の音声再生速度Ｓａを所定値分あるいは所定の割合で低下させる処理を行うこととしてもよい。
【００６５】
以上のように、本実施形態によれば、第１の実施形態と比較して、音声の再生速度Ｓａを高い値に設定しても、音声だけが先に進みすぎてしまうことが無いという利点が得られる。
【００６６】
以上、本発明の各実施形態を説明したが、本発明は、上記した実施形態に限定されるものではなく、本発明の基本的技術的思想を逸脱しない範囲で、更なる変形・置換・調整を加えることができる。例えば、上記した実施形態では、本発明を動画ストリーム受信装置に適用した例を挙げて説明したが、その他電波により受信した動画データをバッファしてから出力する動画出力装置に適用することが可能である。
【００６７】
また例えば、上記した実施形態では、通常速度による通常再生の前に、低速再生を行うものとして説明したが、特許文献１のように静止画出力を行う場合にも適用することが可能である。この場合においても、上記した第２の実施形態のように無音区間の延長処理を行うことで、映像データバッファ部１０２へのバッファ量が規定量ｔｈｖ０に達した後の映像音声同期再生開始までの時間を短縮することが可能になる。
【００６８】
また、上記した実施形態では、動画ストリーム受信部を備えた動画ストリーム受信装置の例を挙げて説明したが、別の装置から動画データを受け取る構成であってもよい。
【符号の説明】
【００６９】
１  動画ストリーム配信装置
２  ネットワーク
３  動画ストリーム受信装置
３ａ  動画出力装置
１００  動画ストリーム受信部
１００ａ  動画データ受信部
１０１  動画ストリーム分離部
１０２  映像データバッファ部
１０３  映像復号部
１０４  映像出力部
１０５  音声データバッファ部
１０６  音声復号部
１０７  音声出力部
１０８  音声レベル検出部
１０９  制御部
１１０  動画ストリーム要求部
１１１  操作入力部
【図１】
0005493564.tif 000002
【図２】
0005493564.tif 000003
【図３】
0005493564.tif 000004
【図４】
0005493564.tif 000005
【図５】
0005493564.tif 000006
【図６】
0005493564.tif 000007
【図７】
0005493564.tif 000008
【図８】
0005493564.tif 000009